(57)【特許請求の範囲】
【請求項１】
少なくとも第一の周波数帯で発振する平衡型の第一の発振回路と、前記第一の周波数帯よりも周波数が低い第二の周波数帯で発振する第二の発振回路とを備え、
前記第一の発振回路は並設された２つの発振トランジスタと、第一のインダクタンス素子、バラクタダイオード及びコンデンサで構成されて前記２つの発振トランジスタ間に接続された並列共振回路とを有し、
前記第二の発振回路は並設された２つのトランジスタと、第二のインダクタンス素子、バラクタダイオード及びコンデンサで構成されて前記２つのトランジスタ間に接続された共振回路とを有しており、
前記第一の発振回路を構成する前記並列共振回路の一端を、前記第一の周波数帯においてインピーダンスが高くなり、前記第一の周波数帯以下において、インピーダンスが低くなるインピーダンス素子よって接地するものであり、
前記インピーダンス素子を、前記第一の発振回路と前記第二の発振回路との間を接続する第一の抵抗と前記共振回路を構成する第二のインダクタンス素子とによる直列回路で構成し、前記第一の発振回路のバラクタダイオードのアノードを前記直列回路を介して接地するようにしたことを特徴とするテレビジョンチューナ。
【請求項２】
前記第一の発振回路はＵＨＦバンド用の発振回路とし、前記第二の発振回路をＶＨＦのローバンド用の発振回路としたことを特徴とする請求項１記載のテレビジョンチューナ。
【発明の詳細な説明】
【０００１】
【発明の属する技術分野】
本発明は、テレビジョンチューナーに係わり、特に局部発振器の出力する発振信号のノイズレベルを低くできるテレビジョンチューナーに関する。
【０００２】
【従来の技術】
テレビジョンチューナーでは、受信したテレビジョン信号と局部発振器から出力される局部発振信号とを混合器に入力し、テレビジョン信号の周波数を中間周波数に変換する。これらの各回路の集積化可能な回路部分はチューナ用ＩＣのパッケージ内に集積化して、各回路の集積化されていない回路部分をそれぞれチューナ用ＩＣの周囲に配置している。
【０００３】
図３は、従来のテレビジョンチューナーに用いられるＵＨＦ用発振回路とＶＨＦ用発振回路とである。
【０００４】
テレビジョンチューナは、第一の発振回路３１と第二の発振回路３２とを備えている。
第一の発振回路３１は、ＵＨＦ帯のテレビジョン信号を中間周波信号に変換する際に必要な局部発振信号を出力する平衡型の局部発振器であって、第一の発振回路３１の出力する局部発振信号は、図示せぬＵＨＦ用混合器に入力される。第一の発振回路３１は、チューナー用ＩＣ内に構成された２つの発振トランジスタ３３ａ、３３ｂのコレクタから平衡な発振信号を出力している。また、発振トランジスタ３３ａ、３３ｂのコレクタからは、電源電圧（＋Ｂ）が印加されている。チューナー用ＩＣ内には、定電流源３４ａが構成され、発振トランジスタ３３ａ、３３ｂのエミッタに接続されている。
【０００５】
発振トランジスタ３３ａのベースと発振トランジスタ３３ｂのコレクタとは、それぞれチューナー用ＩＣの端子に接続されたクラップコンデンサ３５ａ、３５ｂを介して、直並列共振回路３６の一端に接続され、発振トランジスタ３３ａのコレクタと発振トランジスタ３３ｂのベースとは、それぞれチューナー用ＩＣの端子に接続されたクラップコンデンサ３５ｃ、３５ｄを介して、直並列共振回路３６の他端に接続されている。
【０００６】
直並列共振回路３６は、第一のバラクタダイオード３７と、第二のバラクタダイオード３８と、一端が第一のバラクタダイオード３７のカソードに接続され、他端が第二のバラクタダイオード３８のカソードに接続されたインダクタンス素子３９と、一端が第一のバラクタダイオード３７のアノードに接続され、他端が第二のバラクタダイオード３８のアノードに接続されたコンデンサ４０とを有している。
【０００７】
第一のバラクタダイオード３７のアノードは、接地抵抗４１ａを介して接地されると共に、クラップコンデンサ３５ａ，３５ｂを介して、発振トランジスタ３３ａのベースと発振トランジスタ３３ｂのコレクタとに接続される。
【０００８】
また、第二のバラクタダイオードのアノード３７は、接地抵抗４１ｂを介して接地されると共に、クラップコンデンサ３５ｃ，３５ｄを介して、発振トランジスタ３３ａのコレクタと発振トランジスタ３３ｂのベースとに接続されている。
【０００９】
接地抵抗４１ａ，４１ｂは発振信号のレベルを安定させるために比較的高い抵抗値（例えば数十ｋΩ）の抵抗が使用される。また、第一のバラクタダイオード３７のカソードには、抵抗４２ａを介して第一の発振回路３１の発振周波数を調整する制御電圧が印加され、第二のバラクタダイオード３８のカソードには抵抗４２ａとインダクタンス素子３９とを介して制御電圧が印加される。
【００１０】
一方、第二の発振回路３２は、ＶＨＦ帯のテレビジョン信号を中間周波信号に変換する際に必要な局部発振信号を出力する局部発振器であって、第二の発振回路３２の出力する局部発振信号は、図示せぬＶＨＦ用混合器に入力される。
【００１１】
第二の発振回路３２は、チューナー用ＩＣ内に配置された２つのトランジスタ４３ａ，４３ｂと、２つのトランジスタ４３ａ，４３ｂのエミッタに接続された定電流源３４ｂと、チューナー用ＩＣの周囲に配置されたクラップコンデンサ３５ｅ，３５ｆと、共振回路４４とを有している。
【００１２】
共振回路４４は、一端がクラップコンデンサ３５ｅ，３５ｆに接続された直流阻止コンデンサ４９ａと、直流阻止コンデンサ４９ａの他端にカソードが接続され、アノードが接地されたバラクタダイオード４５と、一端がクラップコンデンサ３５ｅ，３５ｆに接続されたインダクタンス素子４７ａと、インダクタンス素子４７ａの他端にカソードが接続されたスイッチダイオード４６と、スイッチダイオード４６のアノードに一端が接続され他端が接地された直流阻止コンデンサ４９ｂと、インダクタンス素子４７ａの他端に一端が接続されたインダクタンス素子４７ｂとコンデンサ４８と、インダクタンス素子４７ｂとコンデンサ４８との他端に一端が接続され他端が接地された直流阻止コンデンサ４９ｃと接地抵抗５０とを有している。
【００１３】
また、共振回路４４はクラップコンデンサ３５ｅを介してトランジスタ４３ａのベースに接続されると共に、クラップコンデンサ３５ｆを介してトランジスタ４３ｂのコレクタとに接続されている。
【００１４】
更に、スイッチダイオード４６のアノードからハイバンド切換電圧が印加され、接地抵抗５０の一端からローバンド切換電圧が印加され、ＶＨＦハイバンドを受信する際にはハイバンド切換電圧によって、スイッチダイオードを４６導通させ、ＶＨＦローバンドを受信する際にはローバンド切換電圧によって、スイッチダイオードを４６を非導通状態として、共振回路４４内の接続を切り換える。また、バラクタダイオード４５のカソードから抵抗４２ｂを介して第二の発振回路３２の発振周波数を調整する制御電圧が印加される。
【００１５】
【発明が解決しようとする課題】
ところで、チューナー用ＩＣ内には、様々な回路が密集して構成されているため、それぞれの回路を流れる信号が、別の回路に混入して雑音となることがある。従って、発振回路にもチューナー用ＩＣ内の別の回路から雑音が混入することがある。特に低周波の雑音が、平衡型の発振回路の直並列共振回路に雑音が混入した場合は、第一及び第二のバラクタダイオード３７，３８に雑音が印加され、第一及び第二のバラクタダイオード３７，３８の静電容量が変わってしまうため、発振信号のノイズのレベルが大きくなってしまう。
【００１６】
【課題を解決するための手段】
上記課題を解決するために本発明のテレビジョンチューナは、少なくとも第一の周波数帯で発振する平衡型の第一の発振回路と、前記第一の周波数帯よりも周波数が低い第二の周波数帯で発振する第二の発振回路とを備え、
前記第一の発振回路は並設された２つの発振トランジスタと、第一のインダクタンス素子、バラクタダイオード及びコンデンサで構成されて前記２つの発振トランジスタ間に接続された並列共振回路とを有し、
前記第二の発振回路は並設された２つのトランジスタと、第二のインダクタンス素子、バラクタダイオード及びコンデンサで構成されて前記２つのトランジスタ間に接続された共振回路とを有しており、
前記第一の発振回路を構成する前記並列共振回路の一端を、前記第一の周波数帯においてインピーダンスが高くなり、前記第一の周波数帯以下において、インピーダンスが低くなるインピーダンス素子よって接地するものであり、
前記インピーダンス素子を、前記第一の発振回路と前記第二の発振回路との間を接続する第一の抵抗と前記共振回路を構成する第二のインダクタンス素子とによる直列回路で構成し、前記第一の発振回路のバラクタダイオードのアノードを前記直列回路を介して接地するようにした。
【００１７】
また、本発明のテレビジョンチューナは、第一の発振回路はＵＨＦバンド用の発振回路とし、前記第二の発振回路をＶＨＦのローバンド用の発振回路とした。
【００１８】
【発明の実施の形態】
本発明のテレビジョンチューナの一実施例の回路図を図１に示す。
テレビジョンチューナは、第一の発振回路１と第二の発振回路２と第三の発振回路３とを備えている。第一の発振回路１と第二の発振回路２と第三の発振回路３とはそれぞれ同時に動作はせずに、いずれか１つの回路のみが動作する。
【００１９】
第一の発振回路１は、第一の周波数帯で発振する局部発振器であって、第一の発振回路１の出力する局部発振信号は図示せぬＵＨＦ用混合器に入力され、ＵＨＦ用混合器は、ＵＨＦ帯のテレビジョン信号を中間周波信号に変換する。第一の発振回路１は、高い周波数の信号を出力するが、他の回路への干渉を小さくなるように平衡型の回路となっており、チューナー用ＩＣ内に並設された２つの発振トランジスタ４ａ，４ｂのコレクタから平衡な発振信号を出力している。また、発振トランジスタ４ａ，４ｂのコレクタからは、電源電圧（＋Ｂ）が印加されている。チューナー用ＩＣ内には、定電流源５ａが構成され、発振トランジスタ４ａ，４ｂのエミッタに接続されている。
【００２０】
発振トランジスタ４ａのベースと発振トランジスタ４ｂのコレクタとは、それぞれチューナー用ＩＣの端子に接続されたクラップコンデンサ６ａ、６ｂを介して、並列共振回路７の一端に接続され、発振トランジスタ４ａのコレクタと発振トランジスタ４ｂのベースとは、それぞれチューナー用ＩＣの端子に接続されたクラップコンデンサ６ｃ、６ｄを介して、並列共振回路７の他端に接続されている。
【００２１】
並列共振回路７は、第一のインダクタンス素子８とバラクタダイオード９とコンデンサ１０とからなり、バラクタダイオード９のカソードとコンデンサ１０の一端とが接続され、バラクタダイオード９のアノードが第一のインダクタンス素子８の一端に接続され、コンデンサ１０の他端が第一のインダクタンス素子８の他端に接続されている。また、バラクタダイオード９のカソードから抵抗１２ａを介してＵＨＦ発振器の発振周波数を調整する制御電圧が印加され、バラクタダイオード９のアノードは、インピーダンス素子であるインダクタンス素子１１を介して直流的に接地される。インダクタンス素子１１は、第一の周波数帯において十分にインピーダンスが高く、第一の周波数帯以下においては十分にインピーダンスが低くなるようなインダクタンスの大きさのインダクタンス素子によって構成される。
【００２２】
一方、第二の発振回路２は、第二の周波数帯で発振する局部発振器であって、ＶＨＦローバンドを受信する際に、第二の発振回路２の出力する局部発振信号は、図示せぬＶＨＦ用混合器に入力され、ＶＨＦ用混合器は、ＶＨＦローバンドのテレビジョン信号を中間周波信号に変換する。第二の発振回路２は、チューナー用ＩＣ内に配置された２つのローバンド用トランジスタ１３ａ，１３ｂと、２つのローバンド用トランジスタ１３ａ，１３ｂのエミッタに接続された定電流源５ｂと、チューナー用ＩＣの周囲に配置され、ローバンド用トランジスタ１３ａのベースとローバンド用トランジスタ１３ｂのコレクタとにそれぞれ一端が接続されたクラップコンデンサ６ｅ，６ｆと、クラップコンデンサ６ｅ，６ｆの他端に接続された共振回路１４とを有している。
【００２３】
共振回路１４は、クラップコンデンサ６ｅ，６ｆの他端にアノードが接続されたバラクタダイオード１５と、バラクタダイオード１５のカソードに一端が接続され、他端が接地された直流阻止コンデンサ１６と、一端がクラップコンデンサ６ｅ，６ｆの他端に接続され、他端が接地されたトラッキング補正用のコンデンサ１７と第二のインダクタンス素子１８とからなる。また、バラクタダイオード１５のカソードから抵抗１２ｂを介して第二の発振回路２の発振周波数を調整する制御電圧が印加される。
【００２４】
一方、第三の発振回路３は、第三の周波数帯で発振する局部発振器であって、ＶＨＦハイバンドを受信する際に、第三の発振回路３の出力する局部発振信号は、図示せぬＶＨＦ用混合器に入力され、ＶＨＦ用混合器は、ＶＨＦハイバンドのテレビジョン信号を中間周波信号に変換する。第三の発振回路３は、チューナー用ＩＣ内に配置された２つのハイバンド用トランジスタ１９ａ，１９ｂと、２つのハイバンド用トランジスタ１９ａ，１９ｂのエミッタに接続された定電流源５ｃと、チューナー用ＩＣの周囲に配置され、ハイバンド用トランジスタ１９ａのベースとハイバンド用トランジスタ１９ｂのコレクタとにそれぞれ一端が接続されたクラップコンデンサ６ｇ，６ｈと、クラップコンデンサ６ｇ，６ｈの他端に接続された共振回路２０とを有している。
【００２５】
共振回路２０は、クラップコンデンサ６ｇ，６ｈの他端にアノードが接続されたバラクタダイオード２１と、バラクタダイオード２１のカソードに一端が接続され他端が接地された直流阻止コンデンサ２２と、一端がクラップコンデンサ６ｇ，６ｈの他端に接続され、他端が接地されたインダクタンス素子２３とからなる。また、バラクタダイオード２１のカソードから抵抗１２ｃを介して第三の発振回路３の発振周波数を調整する制御電圧が印加される。
【００２６】
ところで、チューナー用ＩＣ内には、様々な回路が密集して構成されているため、それぞれの回路を流れる信号が、別の回路に混入して雑音となることがある。従って、第一の発振回路１にもチューナー用ＩＣ内の別の回路から雑音が混入することがある。しかし、第一の発振回路１中のバラクタダイオード９のアノードは、インダクタンス素子１１を介して、接地されているため、低周波のノイズは、バラクタダイオード９のアノードにほとんど印加されず、バラクタダイオード９の静電容量は雑音の影響をほとんど受けないため、第一の発振回路１の出力する発振信号のノイズのレベルが低くなる。
【００２７】
図２は本発明の第二の実施例を示す回路図である。この第二の実施例において、図１に示した第一の実施例との相違箇所は、バラクタダイオード９のアノードが第一の抵抗２４と第二のインダクタンス素子１８とを介して接地されている点である。
【００２８】
図２に示す第二の実施例において、第二の発振回路２及び第三の発振回路３の構成は図１に示す第一の実施例と同様であるので重複する説明は省略する。
【００２９】
第一の発振回路１は、第一の周波数帯で発振する平衡型の局部発振器であって、第一の発振回路１の出力する局部発振信号を図示せぬＵＨＦ用混合器に入力し、ＵＨＦ帯のテレビジョン信号を中間周波信号に変換する。第一の発振回路１は、チューナー用ＩＣ内に構成された２つの発振トランジスタ４ａ，４ｂのコレクタから平衡な発振信号を出力している。また、発振トランジスタ４ａ，４ｂのコレクタからは、電源電圧（＋Ｂ）が印加されている。チューナー用ＩＣ内には、定電流源５が構成され、発振トランジスタ４ａ，４ｂのエミッタに接続されている。
【００３０】
発振トランジスタ４ａのベースと発振トランジスタ４ｂのコレクタとは、それぞれチューナー用ＩＣの端子に接続されたクラップコンデンサ６ａ、６ｂを介して、並列共振回路７の一端に接続され、発振トランジスタ４ａのコレクタと発振トランジスタ４ｂのベースとは、それぞれチューナー用ＩＣの端子に接続されたクラップコンデンサ６ｃ、６ｄを介して、並列共振回路７の他端に接続されている。
【００３１】
並列共振回路７は、第一のインダクタンス素子８とバラクタダイオード９とコンデンサ１０とからなり、バラクタダイオード９のカソードとコンデンサ１０の一端とが接続され、バラクタダイオード９のアノードが第一のインダクタンス素子８の一端に接続され、コンデンサ１０の他端が第一のインダクタンス素子８の他端に接続されている。また、バラクタダイオード９のカソードから抵抗１２ａを介して第一の発振回路１の発振周波数を調整する制御電圧が印加される。
【００３２】
バラクタダイオード９のアノードは、第一の抵抗２４と第二のインダクタンス素子１８とによる直列回路（インピーダンス素子）で接地されている。第二のインダクタンス素子１８は、ＶＨＦのローバンド用である第二の発振回路２において共振回路１４の一部を構成し、一端が接地されている。また、第一の抵抗２４は、第一の発振回路１のバラクタダイオードの９のアノードを第二の発振回路２の第二のインダクタンス素子１８の他端とを接続するための抵抗である。バラクタダイオード９のアノードとグランドとの間のインピーダンスは、第一の抵抗２４と第二のインダクタンス素子１８との合成インピーダンスとなるので第一の周波数帯においては、高インピーダンスとなり、第一の周波数帯以下においては、低インピーダンスとなる。尚、第一の抵抗２４の抵抗値は、例えば５ｋΩ程度と比較的低い抵抗値とすることができる。
【００３３】
【発明の効果】
以上のように、本発明のテレビジョンチューナーは、並列共振回路の一端を第一の周波数帯でインピーダンスが高くなり、第一の周波数帯以下ではインピーダンスが低くなるインピーダンス素子によって接地したので、低周波のノイズが、バラクタダイオードに印加されることを防ぎ、発振信号のノイズのレベルを小さくでき、しかも、発振信号のレベルの低下を防ぐことができる。
【００３４】
また、本発明のテレビジョンチューナーは、バラクタダイオードのアノードをインピーダンス素子によって接地したので、バラクタダイオードのアノード側が直流的に接地されるので、バラクタダイオードの静電容量がノイズによって変動する大きさを小さくできる。
【００３５】
また、本発明のテレビジョンチューナーは、バラクタダイオードのアノードをインダクタンス素子で接地したので、第一の周波数帯と第一の周波数帯以下とのインピーダンスの差が大きくなり、発振信号のレベルの低下を防ぎつつ、発振信号のノイズのレベルを小さくすることができる。
【００３６】
また、本発明のテレビジョンチューナーは、バラクタダイオードのアノードを第一の抵抗と第二のインダクタンス素子とによる直列回路（インピーダンス素子）で構成したので、第一の発振回路外の回路のインダクタンス素子を第二のインダクタンス素子として、使用でき、部品点数を削減できる。
【００３７】
また、本発明のテレビジョンチューナーは、第二の周波数帯で発振する第二の発振回路を備え、第一の発振回路と第二の発振回路とを第一の抵抗で接続し、第二の発振回路が有する第二のインダクタンス素子によって、第一の発振回路が有するバラクタダイオードのアノードを接地したので、部品点数が削減できる。また、第一の発振回路と第二の発振回路とは同時に動作することがないため、第一の発振回路の動作が不安定になることもない。
【００３８】
また、本発明のテレビジョンチューナーにおいて、第一の発振回路はＵＨＦバンド用の発振回路とし、第二の発振回路をＶＨＦのローバンド用の発振回路としたので、第一の発振回路と第二の発振回路とを第一の抵抗で接続しても、それぞれの発振回路の発振する周波数が大きく異なるため、互いに負荷になりにくい。
【図面の簡単な説明】
【図１】本発明のテレビジョンチューナに用いられる発振回路の回路図である。
【図２】本発明のテレビジョンチューナの別の実施の形態に用いられる発振回路の回路図である。
【図３】従来のテレビジョンチューナに用いられる発振回路の回路図である。
【符号の説明】
１  第一の発振回路
２  第二の発振回路
３  第三の発振回路
４ａ，４ｂ  発振トランジスタ
５ａ，５ｂ，５ｃ  定電流源
６ａ〜６ｈ  クラップコンデンサ
７  並列共振回路
８  第一のインダクタンス素子
９  バラクタダイオード
１０  コンデンサ
１１  インダクタンス素子
１２ａ，１２ｂ，１２ｃ  抵抗
１３ａ，１３ｂ  ローバンド用トランジスタ
１４  共振回路
１５  バラクタダイオード
１６  直流阻止コンデンサ
１７  コンデンサ
１８  第二のインダクタンス素子
１９ａ，１９ｂ  ハイバンド用トランジスタ
２０  共振回路
２１  バラクタダイオード
２２  直流阻止コンデンサ
２３  インダクタンス素子
２４  第一の抵抗
３１  第一の発振回路
３２  第二の発振回路
３３ａ，３３ｂ  発振トランジスタ
３４ａ，３４ｂ  定電流源
３５ａ〜３５ｆ  クラップコンデンサ
３６  直並列共振回路
３７  第一のバラクタダイオード
３８  第二のバラクタダイオード
３９  インダクタンス素子
４０  コンデンサ
４１ａ，４１ｂ  接地抵抗
４２ａ，４２ｂ  抵抗
４３ａ，４３ｂ  トランジスタ
４４  共振回路
４５  バラクタダイオード
４６  スイッチダイオード
４７ａ，４７ｂ  インダクタンス素子
４８  コンデンサ
４９ａ，４９ｂ，４９ｃ  直流阻止コンデンサ
５０  接地抵抗
【図１】
0003727216.tif 000002
【図２】
0003727216.tif 000003
【図３】
0003727216.tif 000004